(57)【要約】【課題】高速かつ簡易な構成で記録済みの被記録媒体に再記録することができる画像形成装置及びその制御方法を提供すること。【解決手段】本発明にかかる画像形成装置１は、記録ヘッド１１１と、インクフィルムカートリッジ１１２と、記録制御部１２と、ヘッド駆動部１３と、記録紙搬送部１４と、を備える。インクフィルムカートリッジ１１２は、印刷用インクフィルムと被記録媒体の印刷面と同系色の消去用インクフィルムとを有する。消去用インクフィルムは、印刷用インクフィルムに対して、副走査方向の上流側に配置されている。【選択図】図１
2014008686.tif 000002
【特許請求の範囲】
【請求項１】
被記録媒体を副走査方向に搬送する媒体搬送手段と、
印刷用インクと前記被記録媒体の印刷面と同系色の消去用インクとを有するインクカートリッジと、
前記被記録媒体の主走査方向に移動可能であり、前記インクカートリッジのインクを用いて、前記被記録媒体に印刷する記録ヘッドと、
前記記録ヘッドを前記主走査方向に駆動させるヘッド駆動手段と、を備え、
前記消去用インクは、前記印刷用インクに対して、副走査方向の上流側に配置されている画像形成装置。
【請求項２】
前記記録ヘッドよりも前記上流側に設けられ、前記被記録媒体に印刷された画像の有無を検出する読取手段をさらに備え、
前記ヘッド駆動手段は、前記読取手段の検出結果に基づいて、前記記録ヘッドの主走査方向への移動を制御する請求項１に記載の画像形成装置。
【請求項３】
前記媒体搬送手段は、前記読取手段の検出結果に基づいて、前記被記録媒体の搬送量を変更する請求項２に記載の画像形成装置。
【請求項４】
前記インクカートリッジは、印刷用インクフィルムとその前記上流側に配置された消去用インクフィルムとを有し、
前記媒体搬送手段は、前記消去用インクフィルムの副走査方向の幅ずつ前記被記録媒体を副走査方向に搬送し、
前記記録ヘッドは、前記印刷用インク及び消去用インクを前記被記録媒体に熱転写する発熱体を有し、前記消去用インクフィルムの副走査方向の幅と略同じ幅のライン毎に、前記印刷用インク及び前記消去用インクを前記被記録媒体に熱転写し、
前記読取手段は、前記消去用インクが印刷されるラインに隣接するラインであって、前記上流側に位置する第１のラインに記録された画像の有無を検出し、
前記ヘッド駆動手段は、前記第１のラインに画像が記録されていない場合、当該第１のライン上に前記消去用インクフィルムが位置する状態で前記記録ヘッドを主走査方向に移動させない請求項２または３に記載の画像形成装置。
【請求項５】
前記読取手段は、前記第１のラインの前記上流側に隣接する第２のラインに印刷された画像の有無をさらに検出し、
前記ヘッド駆動手段は、前記第２のラインに画像が記録されていない場合、当該第２のライン上に前記消去用インクフィルムが位置する状態で前記記録ヘッドを主走査方向に移動させない請求項４に記載の画像形成装置。
【請求項６】
前記媒体搬送手段は、前記第１のラインに画像が印刷されていない場合、前記被記録媒体を、前記消去用インクフィルムの副走査方向の幅の倍の距離搬送する請求項４または５に記載の画像形成装置。
【請求項７】
前記印刷用インクフィルムと前記消去用インクフィルムとは、同じインクフィルム上に設けられている請求項４〜６のいずれか一項に記載の画像形成装置。
【請求項８】
印刷用の前記発熱体と消去用の前記発熱体とは、一体的に形成されている請求項４〜７のいずれか一項に記載の画像形成装置。
【請求項９】
前記消去用インクは白色である請求項１〜８のいずれか一項に記載の画像形成装置。
【請求項１０】
印刷用インクと被記録媒体の印刷面と同系色の消去用インクとを有するインクカートリッジと、前記インクカートリッジのインクを用いて、前記被記録媒体に印刷する記録ヘッドと、を備える画像形成装置の制御方法であって、
前記被記録媒体を副走査方向に搬送させ、
前記記録ヘッドを前記被記録媒体の主走査方向に移動させ、
前記印刷用インクを前記被記録媒体に印刷する位置よりも副走査方向の上流側において、前記被記録媒体に前記消去用インクを印刷させる画像形成装置の制御方法。
【発明の詳細な説明】
【技術分野】
【０００１】
本発明は画像形成装置及びその制御方法に関する。
【背景技術】
【０００２】
近年、資源の有効活用に対する関心の高まりから、両面印刷や、複数ページを１枚に印刷するＮｉｎ１印刷、裏紙印刷等により、記録紙を節約する動きが広まっている。しかし、一度両面印刷した記録紙は再度使用できない。Ｎｉｎ１印刷は、複数ページを縮小して１枚に収めるため、文字の大きさが元の文字より小さくなる。裏紙印刷は、元々印刷されていた面と、再利用して印刷した面とを間違える恐れもある。
【０００３】
特許文献１には、消去ローラと乾燥ローラとを備えるプリンタ装置が開示されている。特許文献１に記載のプリンタ装置は、消去ローラを用いて、印刷済みの面に消去用の液剤を塗布する。そして、プリンタ装置は、乾燥ローラを用いて、液剤を乾燥させる。その後、プリンタ装置は、記録を消去した面に再度印刷する。
【０００４】
特許文献２には、プラテンに沿って印字用サーマルヘッド及び消去用サーマルヘッドが並んで配置されている熱転写プリンタが開示されている。特許文献２の熱転写プリンタにおいては、消去用サーマルヘッドによって記録が消去された部分に、印字用サーマルヘッドが再印字を行う。
【先行技術文献】
【特許文献】
【０００５】
【特許文献１】特開平６−２８６２６９号公報
【特許文献２】特開平１−４４７６８号公報
【発明の概要】
【発明が解決しようとする課題】
【０００６】
しかしながら、特許文献１に記載のプリンタ装置においては、消去用に特殊な液剤が必要となる。また、消去用の電気、機構部品も必要となる。したがって、通常のプリンタ装置に比べて構成が複雑になるという問題がある。
【０００７】
また、特許文献２に記載の熱転写プリンタは、プラテンに沿って、つまり主走査方向に沿って印字用サーマルヘッド及び消去用サーマルヘッドが並んで配置されている。そのため、消去用サーマルヘッドによって記録が消去された部分に、印字用サーマルヘッドが再印字を行うためには、消去用サーマルヘッドが先頭となって、主走査方向にキャリッジが移動する必要がある。そのため、印刷時において、主走査方向におけるキャリッジの移動方向が制限されてしまい、印刷に時間がかかるという問題がある。
【０００８】
本発明は、このような課題を解決するためになされたものであり、高速かつ簡易な構成で記録済みの被記録媒体に再記録することができる画像形成装置及びその制御方法を提供することを目的としている。
【課題を解決するための手段】
【０００９】
本発明の一態様にかかる画像形成装置は被記録媒体を副走査方向に搬送する媒体搬送手段と、印刷用インクと前記被記録媒体の印刷面と同系色の消去用インクとを有するインクカートリッジと、前記被記録媒体の主走査方向に移動可能であり、前記インクカートリッジのインクを用いて、前記被記録媒体に印刷する記録ヘッドと、前記記録ヘッドを前記主走査方向に駆動させるヘッド駆動手段と、を備え、前記消去用インクは、前記印刷用インクに対して、副走査方向の上流側に配置されているものである。
【００１０】
本発明の一態様にかかる画像形成装置の制御方法は、印刷用インクと被記録媒体の印刷面と同系色の消去用インクとを有するインクカートリッジと、前記インクカートリッジのインクを用いて、前記被記録媒体に印刷する記録ヘッドと、を備える画像形成装置の制御方法であって、被記録媒体を副走査方向に搬送させ、前記記録ヘッドを前記被記録媒体の主走査方向に移動させ、前記印刷用インクを前記被記録媒体に印刷する位置よりも副走査方向の上流側において、前記被記録媒体に前記消去用インクを印刷させるものである。
【発明の効果】
【００１１】
本発明により、高速かつ簡易な構成で記録済みの被記録媒体に再記録することができる画像形成装置及びその制御方法を提供することができる。
【図面の簡単な説明】
【００１２】
【図１】実施の形態１にかかる画像形成装置のブロック図である。
【図２】実施の形態１にかかるヘッド部の動作を説明するための図である。
【図３】実施の形態１にかかる画像形成装置の動作を説明するための図である。
【図４】実施の形態１にかかる画像形成装置の動作を説明するための図である。
【図５】実施の形態２にかかる画像形成装置のブロック図である。
【図６】実施の形態２にかかる画像形成装置の動作を説明するための図である。
【図７】実施の形態２にかかる画像形成装置の動作を説明するための図である。
【発明を実施するための形態】
【００１３】
＜実施の形態１＞
以下、図面を参照して本発明の実施の形態について説明する。図１は、本実施の形態にかかる画像形成装置１のブロック図である。画像形成装置１は、熱転写方式を用いて、入力された印刷データを記録紙に印刷可能な熱転写記録装置である。印刷データとは、ＰＣ（Personal Computer）やスキャナ等から送信されるデータであって、記録紙に印刷すべき画像の形状や色等を示すデータである。
【００１４】
＜画像形成装置１の構成＞
画像形成装置１は、ヘッド部１１と、記録制御部１２と、ヘッド駆動部１３と、記録紙搬送部１４と、を備える。
【００１５】
ヘッド部１１は、記録紙の記録面上を走査して、画像（文字）を印刷する部分である。ヘッド部１１の走査動作について、図２を参照して説明する。ヘッド部１１は、軸部１５に支持され、記録紙９０の記録面上に配置される。ヘッド部１１は、軸部１５の軸方向に移動可能である。なお、以下の説明においては、記録紙９０が搬送される方向（図２の上下方向）を副走査方向とし、副走査方向に略直交する方向（ヘッド部１１が移動可能な方向、つまり図２の左右方向）を主走査方向とする。
【００１６】
ヘッド部１１は、記録ヘッド１１１と、インクフィルムカートリッジ１１２と、を備える。記録ヘッド１１１は、マトリックス状に形成された複数の発熱体を有する。具体的には、記録ヘッド１１１は、主走査方向にｎ個、副走査方向に（ｍ×５）個のマトリックスからなる発熱体を有する。例えば、解像度が６００ｄｐｉの場合、発熱体のピッチは、約０．０４２ｍｍである。
【００１７】
インクフィルムカートリッジ１１２は、テープ状のインクフィルムを格納している。本実施の形態において、インクフィルムには、白、シアン、マゼンダ、イエロー、黒の５つの色のインクフィルムが帯状に並んでいる。より詳細には、副走査方向の上流側から、白色の帯、シアンの帯、マゼンダの帯、イエローの帯、黒色の帯が並んでいる。なお、副走査方向の上流側とは、記録紙が供給される側であり、記録紙の排出側とは反対側を意味する（図２の下側）。各色の帯の幅は、記録ヘッド１１１の副走査方向に並ぶ発熱体ｍ個分の長さと対応する。
【００１８】
記録制御部１２は、ＣＰＵ(Central Processing Unit)を有し、図示しないメモリに格納された制御プログラムに基づいて、図１に示す各ブロックに制御信号を出力し、画像形成装置１の印刷動作を制御する。
【００１９】
具体的には、記録制御部１２は、入力された印刷データに基づいて、記録ヘッド１１１の発熱体に電力を供給する。これにより、記録制御部１２は、発熱体に熱転写を実行させる。また、記録制御部１２は、ヘッド駆動部１３を用いて、ヘッド部１１を副走査方向に往復移動させる。さらに、記録制御部１２は、記録紙搬送部１４に記録紙の搬送を実行させる。
【００２０】
ヘッド駆動部１３は、記録制御部１２の命令に応じて、図示しないモータを用いて、ヘッド部１１を副走査方向に移動させる。また、ヘッド駆動部１３は、ヘッド部１１の移動に合わせて、移動量と同じ長さのインクフィルムをインクフィルムカートリッジ１１２から巻き取る。
【００２１】
記録紙搬送部１４は、記録制御部１２の命令に応じて、図示しないモータを用いて、記録紙を副走査方向に移動させる。具体的には、記録紙搬送部１４は、ヘッド部１１が記録紙の主走査方向の一端から他端に移動する毎に、記録ヘッド１１１の発熱体ｍ個分の距離だけ記録紙を副走査方向に移動させる。つまり、記録紙搬送部１４は、ヘッド部１１が記録紙の主走査方向の一端から他端に移動する毎に、インクフィルムの帯の幅だけ記録紙を移動させる。
【００２２】
＜画像形成装置１の動作例＞
続いて、図３及び図４を参照して、本実施の形態にかかる画像形成装置１の動作例について説明する。図３及び図４は、記録紙９０に記録された画像の変化を示す図であり、時刻ｔ１からｔ１０までの記録紙９０の画像の変化を時系列に並べたものである。
【００２３】
また、図３及び図４の右端に示した図は、記録紙９０と、発熱体と、インクフィルムカートリッジ１１２とを横から見た図であり、副走査方向における位置関係を示している。上述したように、インクフィルムの各色のラインは、副走査方向の上流側（図３及び図４の下側）から、白色、シアン、マゼンダ、イエロー、黒色と隣接して並んでいる。さらに、各色のインクフィルムに対応して、発熱体１１１ａ〜１１１ｅが配置されている。
【００２４】
つまり、白色（消去色）のインクフィルムは、その他の色（シアン、マゼンダ、イエロー、黒色。以下、印刷色ともいう。）のインクフィルムに対して、副走査方向の上流側に配置されている。このため、記録ヘッド１１１は、印刷色インクの印刷位置よりも副走査方向の上流側において、記録紙９０に白色インクを印刷する。
【００２５】
なお、白色インクフィルムと印刷色インクフィルムとは、同じインクフィルム上に形成されている。また、白色用の発熱体１１１ａとその他の色用の発熱体１１１ｂ〜１１１ｅとは、同じ記録ヘッド１１１上に形成されている。このような構成により、消去用の別部材を必要としないため、画像形成装置１の構成を簡易なものとすることができる。
【００２６】
時刻ｔ１において、初期状態として、記録紙９０には、左から黒色でマル、バツ、三角、四角の図形が既に印刷されているものとする。画像形成装置１はこれらの図形を消去して、再印刷する。なお、記録ヘッド１１１は、印刷データに基づいて、白色インクフィルムの副走査方向の幅と略同じ幅であって、主走査方向に延びるライン（ラインＬ１〜Ｌ５）毎に、白色及び印刷色を熱転写する。
【００２７】
時刻ｔ２において、記録紙搬送部１４は、副走査方向に白色インクフィルムのライン幅だけ記録紙９０を搬送する。これにより、ラインＬ１上に、白色のインクフィルムが配置される。
【００２８】
ヘッド駆動部１３は、ヘッド部１１を主走査方向に移動させる。そして、記録制御部１２は、白色インクフィルムに対応する発熱体１１１ａに電力を供給する。これにより、記録紙９０のラインＬ１に白色インクが印刷される。その結果、ラインＬ１に予め印刷されていた画像が消去される。
【００２９】
時刻ｔ３において、記録紙搬送部１４は、副走査方向に白色インクフィルムのライン幅だけ記録紙９０を搬送する。これにより、ラインＬ２上に白色インクフィルムが配置される。ラインＬ１上にシアン色インクフィルムが配置される。
【００３０】
ヘッド駆動部１３がヘッド部１１を主走査方向に移動させる。そして、記録制御部１２は、白色インクフィルムに対応する発熱体１１１ａに電力を供給する。これにより、記録紙９０のラインＬ２に白色インクが印刷される。その結果、ラインＬ２に予め印刷されていた画像が消去される。
【００３１】
また、入力された印刷データには、記録紙９０のラインＬ１にシアン色で印刷するデータがあるものとする。そのため、ヘッド駆動部１３は、ヘッド部１１を主走査方向に移動させる。そして、記録制御部１２は、シアン色インクフィルムに対応する発熱体１１１ｂに、印刷データに応じたタイミングで電力を供給する。これにより、時刻ｔ２において画像が消去されたラインＬ１にシアン色が印刷される。つまり、ヘッド部１１が記録紙９０の一端から他端に移動する間に、記録紙９０のラインＬ２に白色インクが印刷されると共に、ラインＬ１の印刷データに応じた位置にシアン色が印刷される。
【００３２】
時刻ｔ４において、記録紙搬送部１４は、副走査方向に白色インクフィルムのライン幅だけ記録紙９０を搬送する。これにより、ラインＬ３上に白色インクフィルムが配置される。ラインＬ２上にシアン色インクフィルムが配置される。ラインＬ１上にマゼンダ色インクフィルムが配置される。
【００３３】
ヘッド駆動部１３がヘッド部１１を主走査方向に移動させる。そして、記録制御部１２は、白色インクフィルムに対応する発熱体１１１ａに電力を供給する。これにより、記録紙９０のラインＬ３に白色インクが印刷される。その結果、ラインＬ３に予め印刷されていた画像が消去される。
【００３４】
また、入力された印刷データには、記録紙９０のラインＬ１にマゼンダ色で印刷するデータがあるものとする。ラインＬ２にシアン色で印刷するデータがあるものとする。そのため、ヘッド駆動部１３は、ヘッド部１１を主走査方向に移動させる。そして、記録制御部１２は、シアン色インクフィルムに対応する発熱体１１１ｂ及びマゼンダ色インクフィルムに対応する発熱体１１１ｃに、印刷データに応じたタイミングで電力を供給する。これにより、時刻ｔ２において画像が消去されたラインＬ１にマゼンダ色が印刷される。また、時刻ｔ３において画像が消去されたラインＬ２にシアン色が印刷される。なお、時刻ｔ３と同様に、白色、シアン色、及びマゼンダ色は、ヘッド部１１が記録紙９０の一端から他端に移動する間に同時に印刷される。つまり、時刻ｔ３、ｔ４の間に、ヘッド部１１は、記録紙９０の主走査方向の両端部を往復する。
【００３５】
時刻ｔ５において、記録紙搬送部１４は、副走査方向に白色インクフィルムのライン幅だけ記録紙９０を搬送する。これにより、ラインＬ４上に白色インクフィルムが配置される。ラインＬ３上にシアン色インクフィルムが配置される。ラインＬ２上にマゼンダ色インクフィルムが配置される。ラインＬ１上にイエロー色インクフィルムが配置される。
【００３６】
ヘッド駆動部１３がヘッド部１１を主走査方向に移動させる。そして、記録制御部１２は、白色インクフィルムに対応する発熱体１１１ａに電力を供給する。これにより、記録紙９０のラインＬ４に白色インクが印刷される。その結果、ラインＬ４に予め印刷されていた画像が消去される。
【００３７】
また、入力された印刷データには、記録紙９０のラインＬ１に、イエロー色で印刷するデータがあるものとする。ラインＬ２にマゼンダ色で印刷するデータがあるものとする。ラインＬ３にシアン色で印刷するデータがあるものとする。そのため、ヘッド駆動部１３は、ヘッド部１１を主走査方向に移動させる。また、記録制御部１２は、シアン色インクフィルムに対応する発熱体１１１ｂ、マゼンダ色インクフィルムに対応する発熱体１１１ｃ、及びイエロー色インクフィルムに対応する発熱体１１１ｄに、印刷データに応じたタイミングで電力を供給する。これにより、時刻ｔ２において画像が消去されたラインＬ１にイエロー色が印刷される。時刻ｔ３において画像が消去されたラインＬ２にマゼンダ色が印刷される。時刻ｔ４において画像が消去されたラインＬ３にシアン色が印刷される。
【００３８】
時刻ｔ６において、記録紙搬送部１４は、副走査方向に白色インクのライン幅だけ記録紙９０を搬送する。これにより、ラインＬ５上に、白色インクフィルムが配置される。ラインＬ４上に、シアン色インクフィルムが配置される。ラインＬ３上にマゼンダ色インクフィルムが配置される。ラインＬ２上にイエロー色インクフィルムが配置される。ラインＬ１上に黒色インクフィルムが配置される。
【００３９】
ヘッド駆動部１３がヘッド部１１を主走査方向に移動させる。そして、記録制御部１２は、白色インクフィルムに対応する発熱体１１１ａに電力を供給する。これにより、記録紙９０のラインＬ５に白色インクが印刷される。その結果、ラインＬ５に予め印刷されていた画像が消去される。つまり、時刻ｔ１において予め印刷されていた画像の全てが消去される。
【００４０】
また、入力された印刷データには、記録紙９０のラインＬ１に黒色で印刷するデータがあるものとする。ラインＬ２にイエロー色で印刷するデータがあるものとする。ラインＬ３にマゼンダ色で印刷するデータがあるものとする。ラインＬ４にシアン色で印刷するデータがあるものとする。そのため、ヘッド駆動部１３は、ヘッド部１１を主走査方向に移動させる。また、記録制御部１２は、シアン色インクフィルムに対応する発熱体１１１ｂ、マゼンダ色インクフィルムに対応する発熱体１１１ｃ、イエロー色インクフィルムに対応する発熱体１１１ｄ、及び黒色インクフィルムに対応する発熱体１１１ｅに、印刷データに応じたタイミングで電力を供給する。これにより、時刻ｔ２において画像が消去されたラインＬ１に黒色が印刷される。時刻ｔ３において画像が消去されたラインＬ２にイエロー色が印刷される。時刻ｔ４において画像が消去されたラインＬ３にマゼンダ色が印刷される。時刻ｔ５において画像が消去されたラインＬ４にシアン色が印刷される。
【００４１】
時刻ｔ７において、記録紙搬送部１４は、副走査方向に白色インクフィルムのライン幅だけ記録紙９０を搬送する。これにより、ラインＬ５上に、シアン色インクフィルムが配置される。ラインＬ４上に、マゼンダ色インクフィルムが配置される。ラインＬ３上にイエロー色インクフィルムが配置される。ラインＬ２上に黒色インクフィルムが配置される。
【００４２】
そして、記録制御部１２は、シアン色インクフィルムに対応する発熱体１１１ｂ、マゼンダ色インクフィルムに対応する発熱体１１１ｃ、イエロー色インクフィルムに対応する発熱体１１１ｄ、及び黒色インクフィルムに対応する発熱体１１１ｅに、印刷データに応じたタイミングで電力を供給する。これにより、時刻ｔ３において画像が消去されたラインＬ２に黒色が印刷される。時刻ｔ４において画像が消去されたラインＬ３にイエロー色が印刷される。時刻ｔ５において画像が消去されたラインＬ４にマゼンダ色が印刷される。時刻ｔ６において画像が消去されたラインＬ５にシアン色が印刷される。
【００４３】
時刻ｔ７〜ｔ１０においても同様に、記録紙搬送部１４が各時刻において、副走査方向に白色インクフィルムのライン幅だけ記録紙９０を搬送する。そして、ヘッド駆動部１３が、ヘッド部１１を主走査方向に移動させている間に、記録制御部１２は、印刷データに基づいて、発熱体１１１ｂ〜１１１ｅに電力を供給する。これにより、印刷データに応じた位置に、各印刷色が印刷される。
【００４４】
以上のように、本実施の形態にかかる画像形成装置１の構成によれば、記録紙搬送部１４が、記録紙９０を副走査方向に搬送する。インクフィルムカートリッジ１１２は、印刷用インクフィルムと、消去用インクフィルムとを備える。そして、消去用インクフィルムは、印刷用インクフィルムに対して、副走査方向の上流側に配置されている。そのため、画像形成装置１は、記録紙９０に予め画像が印刷されていても、印刷用インクフィルムよりも上流側において、消去用インクフィルムを用いて当該画像を消去しながら記録紙９０を搬送できる。したがって、印刷用インクフィルムが印刷する記録紙９０は画像が消去された状態となる。その結果、印刷済みの記録紙９０の記録面に再度印刷することができる。
【００４５】
また、画像形成装置１は、通常の印刷色に加えて、白色のインクフィルム及びそれに対応する発熱体１１１ａを追加するだけで印刷済みの画像データを消去することができる。そのため、特殊な液剤や構成を必要としない。したがって、低コストで印刷済みの記録紙９０の再利用を実現できる。加えて、画像形成装置１の省サイズ化も実現できる。
【００４６】
さらに、画像形成装置１においては、白色インクフィルムが、印刷色のインクフィルムに対して副走査方向の上流側に配置されている。そのため、ヘッド部１１が主走査方向に１往復する間に、印刷済みの画像データを２ライン分消去できる。例えば、白色インクフィルムが、印刷色のインクフィルムに対して主走査方向に配置されている場合、印刷済みの画像データを消去できるのは、白色インクフィルムが主走査方向の先頭になって移動する場合のみである。そのため、ヘッド部１１が主走査方向に１往復する間に、印刷済みの画像データを１ライン分しか消去できない。つまり、本実施の形態にかかる画像形成装置１の構成によれば、消去動作を効率よく行うことができ、印刷時間の短縮を図ることができる。
【００４７】
＜実施の形態２＞
本発明にかかる実施の形態２について説明する。図５は、本実施の形態にかかる画像形成装置２のブロック図である。
【００４８】
＜画像形成装置２の構成＞
画像形成装置２は、図１に示した画像形成装置１の構成に加えて、読取素子２１を備える。なお、その他の構成については、画像形成装置１と同様であるため、適宜説明を省略する。
【００４９】
読取素子２１は、記録ヘッド１１１の発熱体に隣接して設けられている。より詳細には、読取素子２１は、発熱体に対して、副走査方向の上流側に設けられている。読取素子２１は、記録紙に画像が印刷されているか否かを検出する。つまり、読取素子２１は、記録紙に印刷された画像の有無を検出するセンサである。なお、読取素子２１を用いた画像の検出には、公知の技術を用いることができる。例えば、読取素子２１は、記録紙の光反射率や色彩情報等に基づいて、記録紙に画像が印刷されているか否かを検出する。
【００５０】
ヘッド駆動部１３は、読取素子２１の検出結果に基づいて、ヘッド部１１の主走査方向の移動を制御する。具体的には、記録制御部１２が、読取素子２１の検出結果に基づいて、ヘッド駆動部１３に対して、ヘッド部１１を主走査方向に移動させる旨の制御信号を出力する。ヘッド駆動部１３は、記録制御部１２からの制御信号に応じて、ヘッド部１１を主走査方向に移動させる。
【００５１】
記録紙搬送部１４は、読取素子２１の検出結果に基づいて、記録紙の搬送量を変更する。具体的には、記録制御部１２が、読取素子２１の検出結果に基づいて、記録紙搬送部１４に対して、記録紙の搬送量を変更する旨の制御信号を出力する。記録紙搬送部１４は、記録制御部１２からの制御信号に応じて、記録紙の搬送量を変更する。
【００５２】
＜画像形成装置２の動作例＞
続いて、図６及び図７を参照して、本実施の形態にかかる画像形成装置２の動作例について説明する。なお、図６及び図７は、実施の形態１における図３及び図４に対応する図である。インクフィルムの色順は、図３及び図４に示した順番と同じである。ただし、発熱体１１１ａの副走査方向の上流側に読取素子２１が隣接して設けられている点が図３及び図４と異なる。
【００５３】
時刻ｔ１１において、初期状態として、記録紙９０には、黒色で主走査方向に延びる複数の線が予め印刷されているものとする。画像形成装置２はこれらの印刷を消去して、再印刷する。
【００５４】
このとき、読取素子２１は、白色インクフィルムが配置されたラインの１ライン先と２ライン先のライン上に画像が印刷されているか否かを検出する。図６においては、時刻ｔ１１の時点で、読取素子２１は、ラインＬ１とラインＬ２に画像が印刷されているか否かを検出する。
【００５５】
図６においては、白色インクフィルムが配置されたラインの１ライン先のラインＬ１に画像が印刷されている。読取素子２１は、１ライン先に画像が印刷されている旨の検出結果を記録制御部１２に出力する。また、読取素子２１は、２ライン先に画像が印刷されていない旨の検出結果を記録制御部１２に出力する。
【００５６】
白色インクフィルムが配置されたラインの１ライン先のラインＬ１に画像が印刷されているため、白色インクでラインＬ１に印刷されている画像を消去する必要がある。そのため、記録制御部１２は、白色インクフィルムのライン幅だけ記録紙９０を搬送するように、記録紙搬送部１４に指示する。
【００５７】
時刻ｔ１２において、記録紙搬送部１４は、記録制御部１２からの指示に応じて、副走査方向に白色インクフィルムのライン幅だけ記録紙９０を搬送する。これにより、ラインＬ１上に白色のインクフィルムが配置される。
【００５８】
ヘッド駆動部１３が、ヘッド部１１を主走査方向に移動させる。そして、記録制御部１２は、白色インクフィルムに対応する発熱体１１１ａに電力を供給する。これにより、記録紙９０のラインＬ１に白色インクが印刷される。その結果、ラインＬ１に予め印刷されていた画像が消去される。
【００５９】
また、読取素子２１は、ヘッド部１１が主走査方向に移動している間に、１ライン先（ラインＬ２）と２ライン先（ラインＬ３）に画像が印刷されているか否かを検出する。そして、読取素子２１は、１ライン先には画像が印刷されておらず、２ライン先には画像が印刷されている旨を、記録制御部１２に出力する。
【００６０】
記録制御部１２は、読取素子２１の検出結果に基づいて、１ライン先には画像が印刷されていないことを認識する。つまり、記録制御部１２は、１ライン先では、白色インクを印刷する必要がないことを認識する。
【００６１】
なお、本例における印刷データには、ラインＬ１にはシアン色を印刷すべきデータが含まれていないものとする。このため、記録制御部１２は、印刷データに基づいて、現在白色が印刷されたライン（ラインＬ１）にシアン色で印刷すべきデータが無いことを認識する。したがって、記録紙搬送部１４によって、記録紙９０が副走査方向に１ライン搬送されたとしても、主走査方向にヘッド部１１を移動させる必要がない。
【００６２】
よって、記録制御部１２は、ヘッド駆動部１３に対して、ラインＬ２上に白色インクフィルムが配置されている状態でヘッド部１１を主走査方向に移動させない旨の指示を出力する。また、記録制御部１２は、記録紙搬送部１４に対して、２ライン分、つまり、白色インクフィルムのライン幅の２倍の距離だけ記録紙９０を副走査方向に搬送する旨の指示を出力する。
【００６３】
時刻ｔ１３において、記録紙搬送部１４は、副走査方向に白色インクのライン幅の２倍だけ記録紙９０を搬送する。これにより、ラインＬ３上に白色インクフィルムが配置される。ラインＬ２上にシアン色インクフィルムが配置される。ラインＬ１上にマゼンダ色インクフィルムが配置される。つまり、図６のｔｘに示すように、時刻ｔ１２から記録紙９０が１ラインだけ進んだ状態は飛ばされる。
【００６４】
ヘッド駆動部１３は、ヘッド部１１を主走査方向に移動させる。そして、記録制御部１２は、白色インクフィルムに対応する発熱体１１１ａに電力を供給する。これにより、記録紙９０のラインＬ３に白色インクが印刷される。その結果、ラインＬ３に予め印刷されていた画像が消去される。
【００６５】
また、入力された印刷データには、記録紙９０のラインＬ１にマゼンダ色で印刷するデータがあるものとする。ラインＬ２にシアン色で印刷するデータがあるものとする。そのため、記録制御部１２は、シアン色インクフィルムに対応する発熱体１１１ｂ及びマゼンダ色インクフィルムに対応する発熱体１１１ｃに、印刷データに応じたタイミングで電力を供給する。これにより、時刻ｔ１２において画像が消去されたラインＬ１にマゼンダ色が印刷される。ラインＬ２にシアン色が印刷される。
【００６６】
読取素子２１は、１ライン先（ラインＬ４）と２ライン先（ラインＬ５）に画像が印刷されているか否かを検出する。そして、読取素子２１は、１ライン先には画像が印刷されておらず、２ライン先には画像が印刷されている旨を、記録制御部１２に出力する。
【００６７】
記録制御部１２は、読取素子２１の検出結果に基づいて、１ライン先には画像が印刷されていないことを認識する。つまり、記録制御部１２は、１ライン先では、白色インクを印刷する必要がないことを認識する。
【００６８】
ただし、本例における印刷データには、ラインＬ３にはシアン色を印刷すべきデータが含まれているものとする。このため、記録制御部１２は、印刷データに基づいて、現在白色が印刷されたライン（ラインＬ３）にシアン色で印刷すべきデータがあることを認識する。したがって、記録紙９０が副走査方向に１ライン搬送された後に、シアン色を印刷するために主走査方向にヘッド部１１を移動させる必要がある。
【００６９】
よって、記録制御部１２は、ヘッド駆動部１３に対して、ラインＬ３上にシアン色インクフィルムが配置されている状態で、ヘッド部１１を主走査方向に移動させる旨の指示を出力する。記録制御部１２は、記録紙搬送部１４に対して、１ライン分、つまり、白色インクフィルムのライン幅だけ記録紙９０を副走査方向に搬送する旨の指示を出力する。
【００７０】
時刻ｔ１４において、記録紙搬送部１４は、副走査方向に白色インクのライン幅だけ記録紙９０を搬送する。これにより、ラインＬ４上に白色インクフィルムが配置される。ラインＬ３上にシアン色インクフィルムが配置される。ラインＬ２上にマゼンダ色インクフィルムが配置される。ラインＬ１上にイエロー色インクフィルムが配置される。
【００７１】
入力された印刷データには、記録紙９０のラインＬ１にイエロー色で印刷するデータがあるものとする。ラインＬ２にマゼンダ色で印刷するデータがあるものとする。ラインＬ３にシアン色で印刷するデータがあるものとする。そのため、ヘッド駆動部１３は、ヘッド部１１を主走査方向に移動させる。また、記録制御部１２は、シアン色インクフィルムに対応する発熱体１１１ｂ、マゼンダ色インクフィルムに対応する発熱体１１１ｃ、及びイエロー色インクフィルムに対応する発熱体１１１ｄに、印刷データに応じたタイミングで電力を供給する。これにより、時刻ｔ１２において画像が消去されたラインＬ１にイエロー色が印刷される。ラインＬ２にマゼンダ色が印刷される。時刻ｔ１３において画像が消去されたラインＬ３にシアン色が印刷される。
【００７２】
なお、時刻ｔ１４においては、読取素子２１が検出した通り、消去すべき画像データは印刷されていない。そのため、記録制御部１２は、読取素子２１の検出結果に基づいて、白色インクフィルムに対応する発熱体１１１ａには、電力を供給しない。これにより、ヘッド部１１が主走査方向に移動する間に、上記の印刷色（シアン色、マゼンダ色、イエロー色）の印刷は行われるが、白色の印刷は行われない。
【００７３】
時刻ｔ１５、ｔ１６、ｔ１８においても同様に、記録紙搬送部１４が各時刻において、副走査方向に白色インクフィルムのライン幅だけ記録紙９０を搬送する。そして、ヘッド駆動部１３が、ヘッド部１１を主走査方向に移動させている間に、記録制御部１２は、印刷データに基づいて、発熱体１１１ｂ〜１１１ｅに電力を供給する。これにより、印刷データに応じた位置に、各印刷色が印刷される。
【００７４】
ただし、時刻ｔ１７においては、時刻ｔ１３と同様に、記録紙９０が副走査方向に１ライン搬送されたとしても、印刷色及び白色インクを印刷する必要がない。よって、記録制御部１２は、ヘッド駆動部１３に対して、ヘッド部１１を主走査方向に移動させない旨の指示を出力する。また、記録制御部１２は、読取素子２１の検出結果及び印刷データに基づいて、記録紙搬送部１４に対して、２ライン分、つまり、白色インクフィルムのライン幅の２倍の量だけ記録紙９０を副走査方向に搬送する旨の指示を出力する。つまり、図７のｔｙに示すように、時刻ｔ１６から記録紙９０が１ラインだけ進んだ状態は飛ばされる。
【００７５】
以上のように、本実施の形態にかかる画像形成装置２の構成によれば、読取素子２１が、白色インクフィルムが配置されたラインの１ライン先の画像データの有無を検出する。そして、ヘッド駆動部１３は、読取素子２１の検出結果と入力された印刷データとに基づいて、記録ヘッド１１１の主走査方向の移動を制御する。つまり、ヘッド駆動部１３は、消去すべき画像データが無く、かつ、印刷色を印刷すべきデータも無い場合に、記録ヘッド１１１を主走査方向に移動させない。そのため、消去すべき画像データの有無に拘らず消去動作を行う印刷動作に比べて、記録ヘッド１１１の無駄な動作を省略することができる。その結果、印刷時間を短縮することができる。
【００７６】
また、記録紙搬送部１４は、読取素子２１の検出結果と入力された印刷データとに基づいて、記録紙９０の副走査方向の搬送量を制御する。つまり、記録紙搬送部１４は、消去すべき画像データが無く、かつ、印刷色を印刷すべきデータも無い場合に、記録制御部１２の指示に応じて、記録紙９０を一度に２ライン搬送させる。その結果、印刷時間をさらに短縮することができる。
【００７７】
また、読取素子２１が、白色インクフィルムが配置されたラインの１ライン先だけでなく、２ライン先の画像データの有無まで検出する。これにより、さらに印刷時間を短縮することができる。
【００７８】
具体的には、読取素子２１が１ライン先の画像データのみを検出する構成について考えると、１ライン先に消去すべき画像データが無い場合、その１ライン分は飛ばすことができる。しかし、飛ばした後に白色インクフィルムが配置されるラインにおいては、画像データの有無は検出されていないため、画像データの有無に拘らず、消去動作を行う必要がある。
【００７９】
これに対して、読取素子２１が２ライン先（第２のライン）の画像データの有無まで検出することにより、記録制御部１２は、１ライン飛ばした後に白色インクフィルムが配置されるライン（第２のライン）の画像データの有無も認識できる。そのため、ヘッド駆動部１３は、２ライン先（第２のライン）に消去すべき画像が無い場合、１ライン飛ばした後（つまり、白色インクフィルムが第２のライン上に配置された場合）においても、主走査方向にヘッド部１１を移動させない。これにより、さらに印刷時間を短縮することができる。勿論、読取素子２１は、白色インクフィルムが配置されたラインの２ライン以上先まで画像の有無を検出してもよい。
【００８０】
なお、本発明は上記実施の形態に限られたものではなく、趣旨を逸脱しない範囲で適宜変更及び組み合わせをすることが可能である。例えば、上記の説明においては、画像形成装置１、２が熱転写方式を用いて印刷を行う場合について説明したが、これに限られるものではなく、インクジェット方式の印刷方法にも適用可能である。ただし、十分なインクの速乾性が必要であるため、画像形成装置は、熱転写方式であることが好ましい。
【００８１】
また、上述した実施の形態においては、被記録媒体として紙を用いていたが、これに限られるものではない。被記録媒体は、印刷可能な媒体であれば、紙以外の成分を含むフィルムやシートであってもよい。
【００８２】
さらに、上述した実施の形態においては、消去色として白色を用いていたが、これに限られるものではない。消去色は、記録紙（被記録媒体）と同系色の色であればよく、白色以外の色であってもよい。
【符号の説明】
【００８３】
１、２  画像形成装置
１１  ヘッド部
１２  記録制御部
１３  ヘッド駆動部
１４  記録紙搬送部
１５  軸部
２１  読取素子
９０  記録紙
１１１  記録ヘッド
１１２  インクフィルムカートリッジ
【図１】
2014008686.tif 000003
【図２】
2014008686.tif 000004
【図３】
2014008686.tif 000005
【図４】
2014008686.tif 000006
【図５】
2014008686.tif 000007
【図６】
2014008686.tif 000008
【図７】
2014008686.tif 000009